(57)【要約】      （修正有）【課題】種々の大きさのワインボトルに対応できるデキャンティング・クレイドルを提供する。【解決手段】基台１に立設の、ワインボトルの径を考慮した幅の一対の支柱２に、ワインボトル１００を載置する載置台５を回動可能に取り付け、載置台の下部に、調整体１２を挿入のスライド筒体１０を取り付け、基台上にハンドル２５を付設のボルト２０を設置し、そのボルトに歯合するナット２８を取り付け、スライド筒体の先端部下とナットの間に回動可能なリンク体３０を連結してワインボトルを傾斜してグラスにワインを注ぐデキャンティング・クレイドルであり、調整体にネジ体１５を設け、そのネジ体にワインボトルの首部１０１を挿入するリング体１８を取り付ける。【選択図】図２
0003189650.tif 000002
【実用新案登録請求の範囲】
【請求項１】
基台に立設の、ワインボトルの径を考慮した幅の一対の支柱に、ワインボトルを載置する載置台を回動可能に取り付け、
前記載置台の下部に、調整体を挿入のスライド筒を取り付け、
前記基台上にハンドルを付設のボルトを設置し、そのボルトに歯合するナットを取り付け、スライド筒体の先端部下とナットの間に回動可能なリンク体を連結してワインボトルを傾斜してグラスにワインを注ぐデキャンティング・クレイドルであり、
前記調整体にネジ体を設け、そのネジ体にリング体を取り付けてなることを特徴とするデキャンティング・クレイドル。
【請求項２】
請求項１のデキャンティング・クレイドルであり、
支柱、載置台、ボルト等はステンレス製であることを特徴とするデキャンティング・クレイドル。
【考案の詳細な説明】
【技術分野】
【０００１】
本願考案は、ワインボトルからグラスに注ぐにあたって、沈殿物を混合せずに傾斜状にして注ぐことができる器具であるデキャンティング・クレイドルに関する。
【背景技術】
【０００２】
従来、ワインを長年、熟成すると沈殿物が生じる。このワインボトルを手にもって注ぐと、振動等により沈殿物が混ざって、グラスに注がれることになる。その沈殿物をボトルに残して、ワインだけを注ぐデキャンティング・クレイドルがある。
尚、ワインをボトルから傾斜状にして注ぐデキャンティング・クレイドルは市販されているので、公知文献を挙げない。
【考案の概要】
【考案が解決しようとする課題】
【０００３】
前記公知のデキャンティング・クレイドルは、沈殿物を分離してグラスにワインを注ぐことができる。しかし、公知のデキャンティング・クレイドルは、種々の大きさのボトルに対応できないという課題がある。
そこで、本考案は、係る不都合を解消するデキャンティング・クレイドルを提供する。
【課題を解決するための手段】
【０００４】
請求項１のデキャンティング・クレイドルは、基台に立設の、ワインボトルの径を考慮した幅の一対の支柱に、ワインボトルを載置する載置台を回動可能に取り付け、前記載置台の下部に調整体を挿入のスライド筒を取り付け、前記基台上にハンドルを付設のボルトを設置し、そのボルトに歯合するナットを取り付け、スライド筒体の先端部下とナットの間に回動可能なリンク体を連結してなる。そして、このデキャンティング・クレイドルは前記調整体にネジ体を設け、そのネジ体にリング体が取り付けてある。
また、請求項２のワデキャンティング・クレイドルは、支柱、載置台、ボルト等はステンレス製である。
【考案の効果】
【０００５】
本願の請求項１のデキャンティング・クレイドルは、調整体にネジ体を設けて種々の大きさのワインボトルに対応することができる。又、請求項２のデキャンティング・クレイドルは腐食に対処できる。
【図面の簡単な説明】
【０００６】
【図１】デキャンティング・クレイドルの斜視図である。
【図２】使用状態のデキャンティング・クレイドルである。
【考案を実施するための形態】
【０００７】
本願考案のデキャンティング・クレイドルの図を参照して説明する。
基台１には、中心を挟んでワインボトルの径を考慮した間隔で、一対の支柱２が立設してある。この支柱２には、ワインボトルの載置台５が回動軸５ｃで回動可能に取り付けてある。この載置台５は、断面半円形状の長方形の枠体であり、半円状の後リング５ａに、金属棒でＵ字状に曲折した支持体５ｂが、1対、付設してある。
【０００８】
又、前記一対の支持体６ｂの下部には、前後、2箇所に、連結板７が取り付けてあると共に、それらの連結体７の下部には、断面、長方形状のスライド筒体１０が取り付けてある。
又、前記スライド筒体１０内には、ボトルの長さに対応可能に、スライド可能な調整体１２が挿入してあり、その端部には、内周にネジを形成のネジ体１５が取り付けてある。そして、前記ネジに歯合するネジ１８ａを形成のリング体１８が取り付けてある。
このリング体１８は、種々の口径のワインボトルに対応可能に、前記ネジ１８ａでボトルの口径に合わせて高さ調整可能である。
なお、このリング体１８は、ワインボトルの首部が挿入されて、後記で詳述するグラスにワインを注ぐ姿態である、ボトルを傾斜状にしたときの、ボトルの落下を防止する。
【０００９】
又、前記基台１上には、前記支柱２の中心に、ネジを形成のボルト２０が一対の支持体２２を介して回転可能に取り付けてあり、そのボルト２０の端部にはハンドル２５が取り付けてある。又、前記ボルト２０にはナット２８が歯合してあり、このナット２８と前記スライド筒体１０の先端部下との間に、回動軸３０ａ、３０ｂを介して回動可能なリンク体３０が結合してある。
従って、前記ハンドル２５を正、逆回転させると、ナット２８が前後動し、リンク体３０を介して回動軸５ｃで、載置台５の先端部が昇降し、載置したボトルの傾斜角度を変更できる。
【００１０】
次に、前記デキャンティング・クレイドルの使用について図２を参照して説明する。
ワインボトルの載置台５に載せて、ボトル１００の底を半円状の後リング５ｃに押し付ける。
次に、ワインボトル１００の首部の位置に合わせて、リング体１８の高さを調整すると共に、調整体１２を調整する。そして、ボトルの首部１０１をリング体１８に挿入した状態で、載置台５にボトル１００を載置する。
【００１１】
次に、ワインをグラスに注ぐときには、前記ハンドル２５をゆっくり回して、ナット２８、リンク体３０を介してワインボトルの首部１０１を下向にすると、ボトル内のワインがグラス（図示略）に静かに注がれる。このようにワインを注ぐと、沈殿物はボトル内に留まり、グラスに注がれることがない。
尚、前記支柱、載置台、ボルト等は金属メッキ製等、種々の材質で構成できるが、腐食を考慮して、ステンレス製で製作してある。
【符号の説明】
【００１２】
１  基台
２  支柱
５  載置台
７  連結板
１０  スライド筒体
１２  調整体
１５  ネジ体
１８  リング体
２０  ボルト
２５  ハンドル
２８  ナット
３０  リンク体
【図１】
0003189650.tif 000003
【図２】
0003189650.tif 000004
【手続補正書】
【提出日】平成26年1月24日(2014.1.24)
【手続補正１】
【補正対象書類名】実用新案登録請求の範囲
【補正対象項目名】全文
【補正方法】変更
【補正の内容】
【実用新案登録請求の範囲】
【請求項１】
基台に立設の、ワインボトルの径を考慮した幅の一対の支柱に、ワインボトルを載置する載置台を回動可能に取り付け、
前記載置台の下部に、調整体を挿入のスライド筒を取り付け、
前記基台上にハンドルを付設のボルトを設置し、そのボルトに歯合するナットを取り付け、スライド筒体の先端部下とナットの間に回動可能なリンク体を連結してワインボトルを傾斜してグラスにワインを注ぐデキャンティング・クレイドルであり、
前記調整体にネジ体を設け、そのネジ体にワインボトルの首部を挿入するリング体を取り付けてなることを特徴とするデキャンティング・クレイドル。
【手続補正２】
【補正対象書類名】明細書
【補正対象項目名】０００４
【補正方法】変更
【補正の内容】
【０００４】
請求項１のデキャンティング・クレイドルは、基台に立設の、ワインボトルの径を考慮した幅の一対の支柱に、ワインボトルを載置する載置台を回動可能に取り付け、前記載置台の下部に調整体を挿入のスライド筒を取り付け、前記基台上にハンドルを付設のボルトを設置し、そのボルトに歯合するナットを取り付け、スライド筒体の先端部下とナットの間に回動可能なリンク体を連結してなる。そして、このデキャンティング・クレイドルは前記調整体にネジ体を設け、そのネジ体にワインボトルの首部を挿入するリング体が取り付けてある。